(57)【特許請求の範囲】
【請求項１】
情報記憶媒体と通信する通信手段と、
前記通信手段による前記情報記憶媒体との通信に基づき、前記情報記憶媒体に記憶された複数のアプリケーションのうちの所定のアプリケーションによる未決済情報を検出し、前記所定のアプリケーションによる決済処理の実行を制御する制御手段と、
を備え、
前記制御手段は、前記情報記憶媒体との通信に基づき、第１のアプリケーションを起動し、前記情報記憶媒体に対して前記第１のアプリケーションによる未決済情報の有無を確認し、前記第１のアプリケーションによる未決済情報の検出に対応して、前記情報記憶媒体に対して前記第１のアプリケーションによる決済を指示し、前記第１のアプリケーションによる決済処理を実行し、前記第１のアプリケーションによる未決済情報の未検出に対応して、前記第１のアプリケーションに替えて第２のアプリケーションを起動し、前記情報記憶媒体に対して前記第２のアプリケーションによる未決済情報の有無を確認し、前記第２のアプリケーションによる未決済情報の検出に対応して、前記情報記憶媒体に対して前記第２のアプリケーションによる決済を指示し、前記第２のアプリケーションによる決済処理を実行する通信装置。
【請求項２】
情報記憶媒体と通信し、
前記情報記憶媒体との通信に基づき、前記情報記憶媒体に記憶された複数のアプリケーションのうちの所定のアプリケーションによる未決済情報を検出し、
前記所定のアプリケーションによる決済処理を実行する通信方法であって、
前記情報記憶媒体との通信に基づき、第１のアプリケーションを起動し、前記情報記憶媒体に対して前記第１のアプリケーションによる未決済情報の有無を確認し、前記第１のアプリケーションによる未決済情報の検出に対応して、前記情報記憶媒体に対して前記第１のアプリケーションによる決済を指示し、前記第１のアプリケーションによる決済処理を実行し、前記第１のアプリケーションによる未決済情報の未検出に対応して、前記第１のアプリケーションに替えて第２のアプリケーションを起動し、前記情報記憶媒体に対して前記第２のアプリケーションによる未決済情報の有無を確認し、前記第２のアプリケーションによる未決済情報の検出に対応して、前記情報記憶媒体に対して前記第２のアプリケーションによる決済を指示し、前記第２のアプリケーションによる決済処理を実行する通信方法。
【発明の詳細な説明】
【技術分野】
【０００１】
本発明は、携帯電話、ＩＣカードなどの情報記憶媒体と通信する通信装置及び通信方法に関する。
【背景技術】
【０００２】
有料道路等に適用されている距離料金収受システムは、通行券を用いた運用を実施している。つまり、距離料金収受システムにより、入口ゲートに設置された通行券発行装置により通行券が発券され、出口ゲートに設置された料金自動収受装置で発券した通行券が回収されるとともに、回収される通行券に基づき所定の通行料金が収受される。発券される通行券には、入口情報や車種情報等が記録されている。また、料金自動収受装置は、硬貨、紙幣、クレジットカードなどによる通行料金の支払いに対応している。
【０００３】
また、上記した通行券による通行料金の収受以外に、ＥＴＣ（Ｅｌｅｃｔｒｏｎｉｃ Ｔｏｌｌ Ｃｏｌｌｅｃｔｉｏｎ）システムが急速に普及している。ＥＴＣシステムは、車両に設置された車載装置と料金所に設置された通信装置との間の無線通信により、車両の確認、および料金収受を行う。
【０００４】
さらに、近年では、電子マネーによる通行料金収受が要望されている。例えば、入口ゲート及び出口ゲートに電子マネーリーダライタ（以下、リーダライタ）を設置する。車両の運転手等は、電子マネー利用情報（例えばＩＤ）等が記憶された携帯電話又はＩＣカード等をリーダライタにかざす。これにより、リーダライタは、携帯電話等に記憶された電子マネー利用情報を読み取り、料金収受サーバは、読み取った電子マネー利用情報及び電子マネー利用情報に対応付けられた電子マネー残額等に基づき通行料金を収受する。
【０００５】
電子マネー規格は、Edy（登録商標）、Suica（登録商標）、Waon（登録商標）、及びnanaco（登録商標）など複数存在する。例えば、１台の携帯電話等が、複数の電子マネー規格に対応した複数の電子マネーアプリケーションを記憶し、これら複数の電子マネーアプリケーションを選択的に実行することができる。
【０００６】
例えば、複数種類の電子マネーに対応した複数の通信エリアを備えた電子マネー決済端末が開示されている（特許文献１参照）。この電子マネー決済端末は、複数の通信エリアのうちのどの通信エリアと電子マネー媒体とが通信したかによって電子マネーの種別を決定する。
【先行技術文献】
【特許文献】
【０００７】
【特許文献１】特開２００９−２５８８５３号公報
【発明の概要】
【発明が解決しようとする課題】
【０００８】
上記したように電子マネーによる通行料金収受の場合、例えば、ユーザは、ハンドルを握りながら、片手で、車両の窓から携帯電話等をリーダライタに向けて差し出し、携帯電話等をリーダライタにかざす。そのため、リーダライタの通信エリアを比較的大きくして、携帯電話等をかざし易くするなどの工夫が必要となる。
【０００９】
このような使用環境で、上記特許文献１に開示された電子マネー決済端末を適用した場合、操作性があまりよくないことがある。例えば、車両の停止位置等によっては、運転者等が若干無理な姿勢を取らないと、複数の通信エリアの中の所定の通信エリアに対して携帯電話等をかざすことができない場合があり、このような状況では操作性があまりよくない。
【００１０】
また、入口ゲートで所定の電子マネーアプリケーションによる入場処理を受けた場合、ユーザは、入口ゲートで所定の電子マネーアプリケーションを利用したことを記憶しておき、出口ゲートで所定の電子マネーアプリケーションの選択操作又は所定の電子マネーアプリケーションに対応した所定の通信エリアに対して携帯電話等をかざすことになる。つまり、入口ゲートでどの電子マネーアプリケーションを利用したかを記憶しておく必要があり、不便である。
【００１１】
さらに、出口ゲートでの所定の電子マネーアプリケーションの選択操作等は、混在（渋滞）の原因にもなる。
【００１２】
本発明の目的は、複数のアプリケーションの中から目的のアプリケーションを選択することが可能な通信装置及び通信方法を提供することにある。
【課題を解決するための手段】
【００１３】
本発明の一実施形態に係る通信装置は、情報記憶媒体と通信する通信手段と、前記通信手段による前記情報記憶媒体との通信に基づき、前記情報記憶媒体に記憶された複数のアプリケーションのうちの所定のアプリケーションによる未決済情報を検出し、前記所定のアプリケーションによる決済処理の実行を制御する制御手段とを備えている。
【００１４】
本発明の一実施形態に係る通信方法は、情報記憶媒体と通信し、前記情報記憶媒体との通信に基づき、前記情報記憶媒体に記憶された複数のアプリケーションのうちの所定のアプリケーションによる未決済情報を検出し、前記所定のアプリケーションによる決済処理を実行する。
【発明の効果】
【００１５】
本発明によれば、複数のアプリケーションの中から目的のアプリケーションを選択することが可能な通信装置及び通信方法を提供できる。
【図面の簡単な説明】
【００１６】
【図１】本発明の一実施形態に係る通信システムの概略を示す図である。
【図２】通信システムの機能ブロック図である。
【図３】リーダライタの概略構成を示すブロック図である。
【図４】情報記憶媒体の電子マネー決済処理部の概略構成を示すブロック図である。
【図５】電子マネーアプリケーションを利用した入場処理の一例を示すフローチャートである。
【図６】電子マネーアプリケーションを利用した出場処理の一例を示すフローチャートである。
【発明を実施するための形態】
【００１７】
以下、図面を参照し、本発明の実施形態について説明する。
【００１８】
図１は、本発明の一実施形態に係る通信システムの概略を示す図である。また、図２は、図１に示す通信システムの機能ブロック図である。図１及び図２に示す通信システムは、例えば、電子マネーによる通行料金収受システムである。
【００１９】
図２に示すように、通信システムは、通信端末１（通信装置）、通行制御バー１７、及び情報記憶媒体２（携帯電話、ＩＣカードなどの電子マネーアプリケーション記憶可能媒体）により構成される。通信端末１は、例えば有料道路の入場口又は出場口に設置され、情報記憶媒体２は車両の運転手等が所持する。例えば、通信端末１は、制御部１１、表示部１２、操作入力部１３、リーダライタ１４、テンキー１５、通行制御部１６、通行制御バー１７を備えている。
【００２０】
リーダライタ１４は、情報記憶媒体２と接触又は非接触で、情報記憶媒体２に記憶された記憶された電子マネー利用情報（例えばＩＤ）、未決済情報（未決済フラグ）、通行履歴情報（入場履歴情報）を読み取ったり、情報記憶媒体２に対して通行履歴情報（入場履歴情報、出場履歴情報）を書き込んだりすることもできる。
【００２１】
制御部１１は、複数の通信方式及び複数のアプリケーション（例えば複数の電子マネーアプリケーション）を選択的に実行することができる。制御部１１によるアプリケーションの切り換え制御については後に詳しく説明する。表示部１２は、情報記憶媒体２との通信結果及び認証結果等を表示する。また、表示部１２は、複数のアプリケーションの中から選出された所定のアプリケーションによる取引案内等を表示することもできる。操作入力部１３は、制御部１１に対して各種情報を入力する。テンキー１５は、制御部１１に対して数字等を入力する。
【００２２】
通行制御部１６は、制御部１１からの通行可否判定結果に基づき、通行制御バー１７の開閉を制御する。つまり、通行制御部１６は、通行許可判定に基づき、通行制御バー１７による通行遮断の解除を制御する。これに対応して、通行制御バー１７による通行の遮断が解除される。
【００２３】
図３は、リーダライタ１４の概略構成を示すブロック図である。図３に示すように、リーダライタ１４は、通信Ｉ／Ｆ１４２、ＣＰＵ１４３、データメモリ（不揮発性メモリ）１４４、ＲＡＭ１４５、ＲＯＭ１４６を備えている。ＣＰＵ１４３は、情報記憶媒体２に対するコマンド等の送信を制御したり、情報記憶媒体２からのレスポンスを検出したりする。
【００２４】
図４は、情報記憶媒体２の電子マネー決済処理部２０の概略構成を示すブロック図である。情報記憶媒体２は、携帯電話又はＩＣカード等であり、情報記憶媒体２の電子マネー決済処理部２０は、通信Ｉ／Ｆ部２１、制御部２２、ＲＡＭ２３、ＲＯＭ２４、不揮発性メモリ（ＥＥＰＲＯＭ、ＦＲＡＭ、ＦＬＡＳＨ等）２５を備えている。
【００２５】
例えば、制御部２２は、ＲＯＭ２４に記憶されたＩＣカードプログラム等に基づき動作し、通信端末１（リーダライタ１４）からのコマンド等の受信を制御したり、受信したコマンド等を解釈したり、通信端末１（リーダライタ１４）に対するレスポンス等の送信を制御したりする。
【００２６】
ＲＡＭ２３は、ワーキングメモリとして機能し、コマンドの実行に対応した実行結果等を記憶する。また、不揮発性メモリ２５は、ＲＡＭに記憶された実行結果等を記憶（バックアップ）する。ＲＯＭ２４は、制御部２２により実行されるＩＣカードプログラムを保持する。
【００２７】
次に、図５に示すフローチャートを参照し、電子マネーアプリケーションを利用した入場処理の一例について説明する。
【００２８】
例えば、有料道路等の入口料金所には、電子マネーＡ、Ｂ、Ｃ、Ｄに対応した電子マネーアプリケーションＡ、Ｂ、Ｃ、Ｄのうちの一つを選択可能な通信端末１（以下、入口通信端末１）が設置される。電子マネー決済を希望する運転者は、入口料金所で非ＥＴＣレーンに車両を進入させ（ＳＴ１０１）、例えば、電子マネーＡ、Ｂ、Ｃ、Ｄに対応した電子マネーアプリケーションＡ、Ｂ、Ｃ、Ｄのうちの一つを選択的に実行可能な情報記憶媒体２を利用して、電子マネー決済を受ける（ＳＴ１０２）。
【００２９】
例えば、入口通信端末１の操作入力部１３は、電子マネーＡ、Ｂ、Ｃ、Ｄのうちの一つの選択入力を受け付ける。操作入力部１３が、電子マネーＢの選択入力を受け付けると（ＳＴ１０３）、制御部１１は、電子マネーアプリケーションＢを起動し、電子マネーアプリケーションＡ、Ｂ、Ｃ、Ｄのうちの一つを選択的に実行可能な情報記憶媒体２がリーダライタ１４に対してかざされると、制御部１１は、電子マネーアプリケーションＢにより入場処理を実行する。つまり、リーダライタ１４は、情報記憶媒体２に対して電子マネーアプリケーションＢによる決済を指示し、これに対応して情報記憶媒体２は、電子マネーアプリケーションＢを起動し、電子マネーアプリケーションＢに対応付けられた未決済情報（フラグ）及び入場履歴情報等を記憶する（ＳＴ１０４）。
【００３０】
或いは、入口通信端末１の表示部１２は、電子マネーＡを受け付ける旨を５秒程度表示し、次に、電子マネーＢを受け付ける旨を５秒程度表示し、次に、電子マネーＣを受け付ける旨を５秒程度表示し、次に、電子マネーＤを受け付ける旨を５秒程度表示し、次に、再び、電子マネーＡを受け付ける旨を５秒程度表示する。例えば、表示部１２が、電子マネーＢを受けるける旨を表示している間に、情報記憶媒体２がリーダライタ１４に対してかざされると（ＳＴ１０３）、制御部１１は、電子マネーアプリケーションＢにより入場処理を実行する。つまり、リーダライタ１４は、情報記憶媒体２に対して電子マネーアプリケーションＢによる決済を指示し、これに対応して情報記憶媒体２は、電子マネーアプリケーションＢを起動し、電子マネーアプリケーションＢに対応付けられた未決済情報（フラグ）及び入場履歴情報等を記憶する（ＳＴ１０４）。
【００３１】
或いは、入口通信端末１のリーダライタ１４が、電子マネーＡに対応した通信エリアＡ、電子マネーＢに対応した通信エリアＢ、電子マネーＣに対応した通信エリアＣ、電子マネーＤに対応した通信エリアＤを備え、情報記憶媒体２が通信エリアＢに対してかざされると（ＳＴ１０３）、制御部１１は、電子マネーアプリケーションＢにより入場処理を実行する。つまり、リーダライタ１４は、情報記憶媒体２に対して電子マネーアプリケーションＢによる決済を指示し、これに対応して情報記憶媒体２は、電子マネーアプリケーションＢを起動し、電子マネーアプリケーションＢに対応付けられた未決済情報（フラグ）及び入場履歴情報等を記憶する（ＳＴ１０４）。
【００３２】
次に、図６に示すフローチャートを参照し、電子マネーアプリケーションを利用した出場処理の一例について説明する。
【００３３】
例えば、有料道路等の出場料金所には、電子マネーＡ、Ｂ、Ｃ、Ｄに対応した電子マネーアプリケーションＡ、Ｂ、Ｃ、Ｄのうちの一つを選択可能な通信端末１（以下、出口通信端末１）が設置される。電子マネー決済を希望する運転者は、出口料金所で非ＥＴＣレーンに車両を進入させ（ＳＴ２０１）、例えば、電子マネーＡ、Ｂ、Ｃ、Ｄに対応した電子マネーアプリケーションＡ、Ｂ、Ｃ、Ｄのうちの一つを選択的に実行可能な情報記憶媒体２を利用して、電子マネー決済を受ける（ＳＴ２０２）。
【００３４】
出口通信端末１のリーダライタ１４に対して、情報記憶媒体２がかざされると、リーダライタ１４は、情報記憶媒体２との通信を開始する。制御部１１は、リーダライタ１４にと情報記憶媒体２の通信に基づき、情報記憶媒体２に記憶された複数のアプリケーションのうちの所定のアプリケーションに対応付けられた未決済情報（フラグ）を検出し、所定のアプリケーションによる決済処理の実行を制御する。以下、所定のアプリケーションによる決済処理の実行を制御の一例について説明する。
【００３５】
例えば、最初に、制御部１１は、電子マネーＡに対応した電子マネーアプリケーションＡを起動し（ＳＴ２０３）、情報記憶媒体２に対して電子マネーアプリケーションＡに対応付けられた未決済情報の有無を確認する（ＳＴ２０４）。
【００３６】
制御部１１が、電子マネーアプリケーションＡに対応付けられた未決済情報を検出した場合には（ＳＴ２０４、ＹＥＳ）、電子マネーアプリケーションＡによる決済処理を実行する（ＳＴ２０５）。つまり、リーダライタ１４は、情報記憶媒体２に対して電子マネーアプリケーションＡによる決済を指示し、これに対応して情報記憶媒体２は、電子マネーアプリケーションＡによる決済に応答する。
【００３７】
例えば、制御部１１は、情報記憶媒体２の電子マネーアプリケーションＡに対応付けて記憶された入場履歴情報及び電子マネーＡの残額情報に基づき、通行料金を決済する。さらに、リーダライタ１４は、電子マネーアプリケーションＡに対応付けて記憶された未決済情報の消去を指示し、出場履歴情報の記録を指示する。情報記憶媒体２は、リーダライタ１４からの指示に対応して、電子マネーアプリケーションＡに対応付けて記憶された未決済情報を消去し、電子マネーアプリケーションＡに対応付けて出場履歴情報を記憶する。さらに、制御部１１は、電子マネーアプリケーションＡによる決済の完了に基づき、通行許可を指示する。通行制御部６は、通行許可に基づき、通行制御バー１７による通行遮断を解除し（ＳＴ２１５）、車両が出場する（ＳＴ２１６）。
【００３８】
制御部１１が、電子マネーアプリケーションＡに対応付けられた未決済情報を検出できない場合には（ＳＴ２０４、ＮＯ）、次に、電子マネーＡに対応した電子マネーアプリケーションＡに替えて、電子マネーＢに対応した電子マネーアプリケーションＢを起動し（ＳＴ２０６）、情報記憶媒体２に対して電子マネーアプリケーションＢに対応付けられた未決済情報の有無を確認する（ＳＴ２０７）。
【００３９】
制御部１１が、電子マネーアプリケーションＢに対応付けられた未決済情報を検出した場合には（ＳＴ２０７、ＹＥＳ）、電子マネーアプリケーションＢによる決済処理を実行する（ＳＴ２０８）。つまり、リーダライタ１４は、情報記憶媒体２に対して電子マネーアプリケーションＢによる決済を指示し、これに対応して情報記憶媒体２は、電子マネーアプリケーションＢによる決済に応答する。
【００４０】
例えば、制御部１１は、情報記憶媒体２の電子マネーアプリケーションＢに対応付けて記憶された入場履歴情報及び電子マネーＢの残額情報に基づき、通行料金を決済する。さらに、リーダライタ１４は、電子マネーアプリケーションＢに対応付けて記憶された未決済情報の消去を指示し、出場履歴情報の記録を指示する。情報記憶媒体２は、リーダライタ１４からの指示に対応して、電子マネーアプリケーションＢに対応付けて記憶された未決済情報を消去し、電子マネーアプリケーションＢに対応付けて出場履歴情報を記憶する。さらに、制御部１１は、電子マネーアプリケーションＢによる決済の完了に基づき、通行許可を指示する。通行制御部６は、通行許可に基づき、通行制御バー１７による通行遮断を解除し（ＳＴ２１５）、車両が出場する（ＳＴ２１６）。
【００４１】
制御部１１が、電子マネーアプリケーションＢに対応付けられた未決済情報を検出できない場合には（ＳＴ２０７、ＮＯ）、次に、電子マネーＢに対応した電子マネーアプリケーションＢに替えて、電子マネーＣに対応した電子マネーアプリケーションＣを起動し（ＳＴ２０９）、情報記憶媒体２に対して電子マネーアプリケーションＣに対応付けられた未決済情報の有無を確認する（ＳＴ２１０）。
【００４２】
制御部１１が、電子マネーアプリケーションＣに対応付けられた未決済情報を検出した場合には（ＳＴ２１０、ＹＥＳ）、電子マネーアプリケーションＣによる決済処理を実行する（ＳＴ２１１）。つまり、リーダライタ１４は、情報記憶媒体２に対して電子マネーアプリケーションＣによる決済を指示し、これに対応して情報記憶媒体２は、電子マネーアプリケーションＣによる決済に応答する。
【００４３】
例えば、制御部１１は、情報記憶媒体２の電子マネーアプリケーションＣに対応付けて記憶された入場履歴情報及び電子マネーＣの残額情報に基づき、通行料金を決済する。さらに、リーダライタ１４は、電子マネーアプリケーションＣに対応付けて記憶された未決済情報の消去を指示し、出場履歴情報の記録を指示する。情報記憶媒体２は、リーダライタ１４からの指示に対応して、電子マネーアプリケーションＣに対応付けて記憶された未決済情報を消去し、電子マネーアプリケーションＣに対応付けて出場履歴情報を記憶する。さらに、制御部１１は、電子マネーアプリケーションＣによる決済の完了に基づき、通行許可を指示する。通行制御部６は、通行許可に基づき、通行制御バー１７による通行遮断を解除し（ＳＴ２１５）、車両が出場する（ＳＴ２１６）。
【００４４】
制御部１１が、電子マネーアプリケーションＣに対応付けられた未決済情報を検出できない場合には（ＳＴ２１０、ＮＯ）、次に、電子マネーＣに対応した電子マネーアプリケーションＣに替えて、電子マネーＤに対応した電子マネーアプリケーションＤを起動し（ＳＴ２１２）、情報記憶媒体２に対して電子マネーアプリケーションＤに対応付けられた未決済情報の有無を確認する（ＳＴ２１３）。
【００４５】
制御部１１が、電子マネーアプリケーションＤに対応付けられた未決済情報を検出した場合には（ＳＴ２１３、ＹＥＳ）、電子マネーアプリケーションＤによる決済処理を実行する（ＳＴ２１４）。つまり、リーダライタ１４は、情報記憶媒体２に対して電子マネーアプリケーションＤによる決済を指示し、これに対応して情報記憶媒体２は、電子マネーアプリケーションＤによる決済に応答する。
【００４６】
例えば、制御部１１は、情報記憶媒体２の電子マネーアプリケーションＤに対応付けて記憶された入場履歴情報及び電子マネーＤの残額情報に基づき、通行料金を決済する。さらに、リーダライタ１４は、電子マネーアプリケーションＤに対応付けて記憶された未決済情報の消去を指示し、出場履歴情報の記録を指示する。情報記憶媒体２は、リーダライタ１４からの指示に対応して、電子マネーアプリケーションＤに対応付けて記憶された未決済情報を消去し、電子マネーアプリケーションＤに対応付けて出場履歴情報を記憶する。さらに、制御部１１は、電子マネーアプリケーションＤによる決済の完了に基づき、通行許可を指示する。通行制御部６は、通行許可に基づき、通行制御バー１７による通行遮断を解除し（ＳＴ２１５）、車両が出場する（ＳＴ２１６）。
【００４７】
制御部１１が、電子マネーアプリケーションＤに対応付けられた未決済情報を検出できない場合には（ＳＴ２１３、ＮＯ）、例えば、表示部１２は、エラーメッセージを表示する（ＳＴ２１７）。
【００４８】
以上により、出口通信端末１は、情報記憶媒体２と通信するだけで、複数のアプリケーションの中から目的のアプリケーション（入場処理で使用したアプリケーション）を選択することができ、目的のアプリケーションで決済を実行することができる。つまり、ユーザは複数のアプリケーションの中から目的のアプリケーションを選択する作業から解放される。よって、ユーザは、入口ゲートで所定の電子マネーアプリケーションを利用したことを記憶しておかなくてもよい。また、電子マネーアプリケーション選択操作等に不慣れなユーザであっても、簡単に短時間で目的のアプリケーションによる決済を受けることができる。即ち、ユーザは、車内から情報記憶媒体２をリーダライタ１４にかざしさえすれば、目的のアプリケーション（入場処理で使用したアプリケーション）による決済処理を受けることができ、利便性が大幅に向上する。
【００４９】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００５０】
１…通信端末、１１…制御部、１２…表示部、１３…操作入力部、１４…リーダライタ、１５…テンキー、１６…通行制御部、１７…通行制御バー、２…情報記憶媒体、２１…通信Ｉ／Ｆ部、２２…制御部、２３…ＲＡＭ、２４…ＲＯＭ、２５…不揮発性メモリ
【図１】
0005417233.tif 000002
【図２】
0005417233.tif 000003
【図３】
0005417233.tif 000004
【図４】
0005417233.tif 000005
【図５】
0005417233.tif 000006
【図６】
0005417233.tif 000007